(57)【要約】【課題】運転時間の大幅短縮と、食器と調理器具の運転を同時に終了するこによる使い勝手を向上。【解決手段】複数個の本体ユニットをシステムキッチンに組み込む食器洗い機において、複数個のユニットを並行して、同時に運転可能な構成としたことを特徴とする。【選択図】　図１
2004057458.tif 000002
【特許請求の範囲】
【請求項１】
システムキッチンユニットの空間内に組込み収納される食器洗い機本体と、食器を収納する洗浄槽と、該洗浄槽内に備えられ、かつ前記食器が載置される食器棚と、前記洗浄槽の下側に設けられる水溜部と、前記洗浄槽の下側に設けられ、前記洗浄槽内に噴射する回転自在なるノズルアームと、食器を収納する洗浄槽内に洗浄水を循環させ、前記本体を複数個用い、更に食器洗い機を構成する洗浄槽、食器棚、水溜部、ノズルアーム等をそれぞれ独立して複数個設け、複数個の本体ユニットをシステムキッチンに組み込む食器洗い機において、
複数個のユニットを並行して、同時に運転可能な構成としたことを特徴とする食器洗い機。
【請求項２】
請求項１に記載したものにおいて、
電圧変換用手段を設け、変圧された所定の電圧にした電源を制御基板に供給することを特徴とする食器洗い機。
【請求項３】
請求項１に記載したものおいて、
複数個のユニットの制御基板を、複数個のユニットのいずれか一つに搭載し、複数個のユニットを制御することを特徴とする食器洗い機。
【請求項４】
電圧変換用手段を洗浄槽底面、または、外枠底面、または、外枠側面に固定したことを特徴とする食器洗い機。
【請求項５】
ヒータ以外の駆動用モータ、及び、制御基板に電圧変換手段により所定の電圧に変換された電源を供給することを特徴とする食器洗い機。
【発明の詳細な説明】
【０００１】
【発明の属する技術分野】
本発明は一般家庭において使用する上下２段式の食器洗い機に関するものである。
【０００２】
【従来の技術】
従来の食器洗い機においては、２個の本体ユニットを上下に積み重ねた２段式の構成で、電源電圧は１００Ｖ仕様であり、一般家庭にて普及している１５Ａの電源においては、上下ユニットの洗浄水の温度を上昇させるヒータを、現在使用されている出力８００Ｗ〜１０００Ｗのものをそのまま使用した場合、１５Ａ電源の規定以上の電流が流れ、過電流遮断器が動作するため、上下ユニットのヒータを同時にＯＮすることが出来ず、上下ユニットのどちらか一方の運転中は、もう片側はヒータをＯＮせずに、水洗い行程、水すすぎ行程を行なうという構成であった。
【０００３】
【発明が解決しようとする課題】
しかしながら、従来の構成では、上下ユニットのヒータを同時にＯＮすることが出来ず、上下ユニットのどちらか一方の運転中は、もう片側はヒータをＯＮせずに、水洗い行程、水すすぎ行程を行なうという構成であるため、上下ユニットを同時に運転しても、片側のユニットを洗浄水の温度を上げて運転することが出来ず、また、乾燥運転を同一のヒータで運転する場合は、乾燥運転も上下同時に運転することが出来ず、食器洗い乾燥機の１サイクルの運転時間において、約７割を占める温水洗い行程、温水すすぎ行程、乾燥行程は、上下ユニット各々別に運転する必要があり、実際の運転時間は、上下ユニットの１サイクルの運転時間を足し合わせた運転時間となる。
【０００４】
また、ヒータの出力を上下ユニット各々半分として同時に運転しても、温水洗い行程、温水すすぎ行程、乾燥行程では、洗浄水の温度上昇率が低くなり、その分、運転時間は長くなる。
【０００５】
上下二段式の食器洗い機において、食器と調理器具を上下ユニットに分けて洗う場合、食器と調理器具の運転を同時に終了することが出来ず、運転終了後に同時に使用する場合などは、お客様の使い勝手が悪い。
【０００６】
【課題を解決するための手段】
上記のような問題を解決するために、２個の本体ユニットを上下に積み重ねた食器洗い機において、電源電圧を２００Ｖ仕様とし、上下ユニットを並行して、同時に運転可能な構成とし、上下ユニットを同時に運転開始して、同一の運転内容にて、同時に運転を終了することを可能にし、運転時間の大幅短縮を実現することが出来る。また、これにより食器と調理器具を上下ユニットに分けて洗う場合においても、食器と調理器具の運転を同時に終了することが出来、お客様の使い勝手を向上することが出来る。
【０００７】
【発明の実施の形態】
以下、本発明を、図の実施例にて説明する。
【０００８】
本食器洗い機は、食器洗い機を構成する食器を収納する洗浄槽１、食器かご２、水溜部３、ノズルアーム４、電動機５、洗浄ポンプ羽根６、排水ポンプ羽根７、シール板８等有する食器洗い機ユニットをそれぞれ独立して２個設け、本食器洗い機ユニット２個の本体を重ね両者を結合することにより、上ユニット４０と下ユニット４１の上下２段にて構成されている。上ユニット４０と下ユニット４１のほとんどは、同一構成となっているので、共通する構成については上ユニット４０にて説明する。
【０００９】
図１に示すように洗浄槽１は、本体ケース９に上下２段に各々独立して備わる。洗浄槽１はスライドレール２４とローラー２５により引出し可能に備えられている。
【００１０】
食器１０は洗浄槽１に備わる食器かご２の上に並べられる。食器１０を洗浄する洗浄用の洗浄液は給水バルブ１２から給水ホース１３を通じて洗浄槽１に供給される。洗浄槽１の底部の直下には回転子１４を磁石（永久磁石）で形成するブラシレスモータ５（電動機）が設けられている。ブラシレスモータ５の回転軸には洗浄槽１側に洗浄ポンプのポンプ羽根６が取付けられる。
【００１１】
ノズルアーム４は上側に洗浄液を噴射する複数の噴射孔１５を有し、中央部には洗浄液吸込用の開口部１６が設けられている。このノズルアーム４は開口部１６内でポンプ羽根６に対し適当な間隔を保って洗浄液吸込ガイド１７の上に回転可能に取付支持されている。洗浄液吸込ガイド１７は洗浄槽１の底部に対し一定の間隔を保って伸長し、洗浄槽１の最深部近傍で外周にリング状の洗浄液吸込み用開口部１８を有し、中央部はノズルアーム４の開口部１６に対応した洗浄液吐出用の開口部１８を有する。
【００１２】
すなわち、洗浄槽１の底部側に回転自在に設けられるノズルアーム４と、ノズルアーム４の中央部に設けられる洗浄液吸込用の開口部１６に回転自在に内置されている洗浄ポンプのポンプ羽根６と、洗浄ポンプのポンプ羽根を駆動する電動機とを有し、ノズルアーム４、洗浄ポンプおよび電動機の回転軸心が縦に同心的に、かつ電動機の上側にノズルアーム４および洗浄ポンプが位置するように配置している。そして、洗浄槽１の底部には洗浄液（洗浄水）が集まる最深部（集水部）を電動機の外側周囲に設け、かつ洗浄槽１の底部は集水部から離れるところを高くなるように傾斜させて形成し、ノズルアーム４と洗浄槽１の底部との間には、洗浄ポンプの吸込口側に洗浄水を導く洗浄液吸込ガイド１７（洗浄水吸込ガイド）を設け、かつ洗浄水吸込ガイドの外周側を下向きに延在して洗浄液吸込み用開口部１８（洗浄液吸込用開口部）を設け、該洗浄液吸込用開口部を集水部に対向するように配置した構成になっている。
【００１３】
洗浄ポンプの運転で洗浄液吸込用開口部より吸い込まれた洗浄水は、洗浄水吸込ガイドと洗浄槽１の底部との間に形成される流通路を流れて洗浄ポンプに吸い込まれ、ポンプ羽根６でノズルアーム４に送られた洗浄水は噴射孔１５から洗浄槽１内に噴射される。この噴射する洗浄水で食器１０は洗浄される。
【００１４】
また、洗浄液吸込ガイド１７はねじ１９により洗浄槽１に固定されている。ブラシレスモータ５の回転軸には、ポンプ羽根６の反対側（下端側）に排水ポンプのポンプ羽根７を取付けると共に、ポンプ羽根７の周囲にポンプ室２１を構成する。ポンプ室２１は洗浄槽１の水溜部３に短い導水部２２で連通されている。ポンプ羽根７は、ポンプ羽根６がポンプ作用を実現する回転方向と反対に回転したときに、排水ポンプとしての機能を生じるような羽根に構成されている。
【００１５】
排水ポンプのポンプ羽根７が排水ポンプとしての機能を果したときは、洗浄槽１内の洗浄後の洗浄液を排水ホース２３を通じて、食器洗い機の外部に排水する。洗浄時は、ブラシレスモータ２１と洗浄ポンプのポンプ羽根６の回転により、洗浄槽１の最深部近傍から洗浄液を吸上げ、洗浄液吸込ガイド１７を通じて、洗浄液吸込ガイド１７の開口部に導く。更に吸上げられた洗浄液はポンプ羽根６で加速され、ノズル４の開口部１６から、ノズル４に設けたケーシング２６に沿って更に加速された状態で、噴射孔１５に導かれる。
【００１６】
洗浄液はノズル４の中で加圧されるため、複数の噴射孔１５から高速で噴射される。尚、ノズル４は洗浄液が狭いケーシング２６を通過するときの反作用および複数の小さな噴射孔１５から高速で噴射される時の反作用により、一定の方向に回転する。洗浄液吸込ガイド１７の近傍に、洗浄液の加温と、食器乾燥時のファン２７により送風される空気の加温を兼ねるヒータ２８を設置する。洗浄行程時、すすぎ行程時は、ヒータ２８に通電し洗浄水を温水にする。残菜捕集用のフィルター２９は洗浄槽１の底部に設けられ、洗浄後の洗浄水を排水するときに、残菜を捕集する。洗浄水のシール構成は、洗浄槽１の上端全周に中空のパッキン２９を設け、更に、洗浄槽１上部にシール板８を設ける。エアーポンプ３０は中空のパッキン３１に加圧空気を送り、膨らんだパッキン３１の弾性により洗浄槽１とシール板８を常に当接させ、安定したシールを実現する。ノズルアーム４と洗浄液吸込ガイド１７の間に仕切り板３２を設ける。仕切り板３２は残菜捕集用のフィルター３３を１個あるいは複数個備える。
【００１７】
また、食器１０の乾燥行程では、ファンモータ２７に通電し、ファンを回転させ、送風径路３４を介して、洗浄槽１内へ送風される。なお、このとき、ヒータ２８は通電をＯＮ−ＯＦＦして冷風を温風に変えており、この温風により、洗浄槽１内に付着している、水滴、および、残水、さらには、食器かご２や食器３に付着している水滴を蒸気に変え、排気ダクト、排気口３５を介して、機外に排出される。そして、一定時間乾燥動作が行われたならば、食器洗い機の運転が終了する。
【００１８】
次に、本発明の内容を説明する。図４（ｂ），図５（ｂ）に示すように、従来の構成では、電源電圧４５は１００Ｖ仕様であり、一般家庭にて普及している１５Ａの電源においては、上下ユニット４０，４１の洗浄水の温度を上昇させるヒータ２８を、現在使用されている出力８００Ｗ〜１０００Ｗのものをそのまま使用した場合、１５Ａ電源の規定以上の電流が流れ、過電流遮断器が動作するため、上下ユニット４０，４１のヒータ２８を同時にＯＮすることが出来ず、上下ユニット４０、４１のどちらか一方の運転中は、もう片側はヒータ２８をＯＮせずに、水洗いのみの間欠運転を行う待機洗い４２を行っている。このため上下ユニット４０，４１を同時に運転した場合、上ユニット４０の運転終了後４３、下ユニット４１にてヒータ２８をＯＮして運転が開始される。すなわち、下ユニット４１の運転終了時間としては、上ユニット４０の運転時間と下ユニット４１の運転時間を足し合わせた時間４４となる。そこで、本発明では、図５（ａ）に示すように、電源電圧４６を２００Ｖ仕様とし、図４（ａ）に示すように、上下ユニット４０，４１のヒータ２８を同時にＯＮ出来る構成として、上下ユニット４０、４１の同時並行運転を可能とすることにより、上下ユニット４０，４１を同時にスタートさせた場合も上下ユニットのどちらかの運転時間で運転を終了することが出来る。また、２００Ｖ電源仕様とすることにより、上下を同時に運転した場合にヒータ２８の出力８００Ｗ〜１０００Ｗを落とすことなく、そのまま使用することが出来、上下同時運転した場合でも、片側のユニットのみの運転時間と同じ時間で運転することが可能となる。
【００１９】
電源電圧４６を２００Ｖ仕様とするための構成としては、図５（ａ）に示すように、電圧変換用手段４７を上下ユニット４０，４１に各々設け、２００Ｖの電圧を１００Ｖ用に変圧し、上下ユニット４０，４１の制御基板４８，４９に供給する。この電圧変換用手段４７にて、２００Ｖ対応とすることにより、上下ユニットの制御基板４８，４９は、１００Ｖの基板と共用化することが出来、コストも低減できる。但し、ヒータ２８のみは、運転時間短縮のため出力８００Ｗ〜１０００Ｗのものを使用するため、電源を変圧せずに直接、２００Ｖ電源を供給する構成とする。これにより、ヒータ２８以外の電動機５、及び、制御基板４８，４９には電圧変換用手段により所定の電圧に変換された電源を供給する。また、図６に示すように、上下制御基板５０を一体化し、どちらかの方側のユニット１つに搭載することにより、大幅なコスト低減と組立作業性、サービス性を向上することが出来る。
【００２０】
電圧変換用手段４７の取付けは、図７（ａ）に示すように、洗浄槽１の底面、または、側面に取付けボス５１を一体に形成して、取り付けることが出来き、図７（ｂ）のように、本体ケース９の底面に絞り部５２を設け、電圧変換用手段４７を固定することも出来る。
【００２１】
【発明の効果】
以上に述べたように本発明よれば、上下２段式の食器洗い機において、電源電圧を２００Ｖ仕様とし、上下ユニットを並行して、同時に運転可能な構成とし、上下ユニットを同時に運転開始して、同一の運転内容にて、同時に運転を終了することを可能にし、運転時間の大幅短縮を実現することが出来る。また、これにより食器と調理器具を上下ユニットに分けて洗う場合においても、食器と調理器具の運転を同時に終了することが出来、お客様の使い勝手を向上することが出来る。
【図面の簡単な説明】
【図１】本発明の実施形態にかかるもので、食器類を洗浄する本体の縦断面図である。
【図２】本発明の実施形態にかかるもので、食器洗い機の平面図である。
【図３】本発明の実施形態にかかるもので、食器洗い機を引出した状態を示す斜視図である。
【図４】動作サイクルを示すチャートで、（ａ）は本発明の実施形態にかかるものである。（ｂ）は従来構成にかかるものである。
【図５】回路構成を示す図で、（ａ）は本発明の実施形態にかかるものである。（ｂ）は従来構成にかかるものである。
【図６】本発明の実施形態にかかるもので、回路構成を示す図。
【図７】電圧変換用手段取付け部の側面図で、（ａ）は本発明の実施形態にかかるものである。（ｂ）は他の本発明の他の実施形態にかかるものである。
【符号の説明】
１…洗浄槽、２…食器かご、４…ノズルアーム、５…ブラシレスモータ、６…洗浄ポンプ羽根、７…排水ポンプ羽根、９…本体ケース、２８…ヒータ、４０…上ユニット、４１…下ユニット、４５…１００Ｖ電源、４６…２００Ｖ電源、４７…電圧変換用手段、４８…上ユニット制御基板、４９…下ユニット制御基板。
【図１】
2004057458.tif 000003
【図２】
2004057458.tif 000004
【図３】
2004057458.tif 000005
【図４】
2004057458.tif 000006
【図５】
2004057458.tif 000007
【図６】
2004057458.tif 000008
【図７】
2004057458.tif 000009